【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
酸成分、グリコール成分、および０〜約５．０モルパーセントの多官能性分枝化剤を含むスルホン化脂肪族−芳香族コポリエステルであって、前記酸成分が、
ａ．１００モルパーセントの全酸成分を基準にして、約９４．９〜１０．０モルパーセントの芳香族ジカルボン酸成分、
ｂ．１００モルパーセントの全酸成分を基準にして、約５．０〜８０．０モルパーセントの脂肪族ジカルボン酸成分、および
ｃ．約０．１〜約５．０モルパーセントのスルホネート成分
を含み、および前記グリコール成分が、
ａ．１００モルパーセントの全グリコール成分を基準にして、１００．０〜９０．０モルパーセントの第一のグリコール成分としての１，３−プロパンジオール、および
ｂ．１００モルパーセントの全グリコール成分を基準にして０〜５．０モルパーセントの第二のグリコール成分
から本質的になることを特徴とするスルホン化脂肪族−芳香族コポリエステル。
【請求項２】
請求項１に記載のスルホン化脂肪族−芳香族コポリエステルと、少なくとも１種の他のポリマーとを含むことを特徴とするブレンド。
【請求項３】
請求項１に記載のスルホン化脂肪族−芳香族コポリエステルから成形されることを特徴とする成形物品。
【請求項４】
請求項１に記載のスルホン化脂肪族−芳香族コポリエステルを含むことを特徴とするフィルム。
【請求項５】
請求項１に記載のスルホン化脂肪族−芳香族コポリエステルを含む層を含むことを特徴とする多層フィルム。
【請求項６】
基材および前記基材の上のコーティングを含み、前記コーティングが請求項１に記載の脂肪族−芳香族コポリエーテルエステルを含むことを特徴とする物品。
【請求項７】
請求項１に記載のスルホン化脂肪族−芳香族コポリエステルがその上に積層されている基材を含むことを特徴とする物品。
【請求項８】
請求項７に記載の物品を含む包装材料であって、前記基材が、紙、板紙、カードボード、ファイバーボード、セルロース、デンプン、プラスチック、ポリスチレンフォーム、ガラス、金属、ポリマーフォーム、有機フォーム、無機フォーム、有機−無機フォーム、およびポリマーフィルムからなる群より選択されることを特徴とする包装材料。
【請求項９】
請求項１に記載のスルホン化脂肪族−芳香族コポリエステルを含むことを特徴とするラップ。
【請求項１０】
請求項１に記載のスルホン化脂肪族−芳香族コポリエステルを含むことを特徴とするシート。
【請求項１１】
請求項１に記載のスルホン化脂肪族−芳香族コポリエステルを含むことを特徴とする繊維。
【請求項１２】
請求項１に記載のスルホン化脂肪族−芳香族コポリエステルと、少なくとも１種の他のポリマーとを含むことを特徴とする繊維。
【請求項１３】
請求項１に記載のスルホン化脂肪族−芳香族コポリエステルを含むことを特徴とする発泡物品。
【請求項１４】
請求項１に記載のスルホン化脂肪族−芳香族コポリエステルから成形されることを特徴とする成形物品。
【請求項１５】
包装材料を製造するためのプロセスであって、基材を提供する工程；前記基材を所望の包装材料形態に成形する工程；酸成分、グリコール成分、および０〜約５．０モルパーセントの多官能性分枝化剤を含むスルホン化脂肪族−芳香族コポリエステルを提供する工程であって、前記酸成分が、
ａ．１００モルパーセントの全酸成分を基準にして、約９４．９〜１０．０モルパーセントの芳香族ジカルボン酸成分、
ｂ．１００モルパーセントの全酸成分を基準にして、約５．０〜８０．０モルパーセントの脂肪族ジカルボン酸成分、および
ｃ．１００モルパーセントの全酸成分を基準にして、約０．１〜約５．０モルパーセントのスルホネート成分
を含み、および前記グリコール成分が、
ａ．１００モルパーセントの全グリコール成分を基準にして、１００．０〜９０．０モルパーセントの第一のグリコール成分としての１，３−プロパンジオール、および
ｂ．１００モルパーセントの全グリコール成分を基準にして０〜５．０モルパーセントの第二のグリコール成分
から本質的になる工程；および前記スルホン化脂肪族−芳香族コポリエステルを用いて前記基材を積層またはコーティングして、前記包装材料を形成する工程を含むことを特徴とするプロセス。
【請求項１６】
スルホン化脂肪族−芳香族コポリエステルを製造するためのプロセスであって、芳香族ジカルボン酸成分、脂肪族ジカルボン酸成分、スルホネート成分、１，３−プロパンジオールから本質的になる第一のグリコール成分、任意選択的に第二のグリコール成分、および任意選択的に多官能性分枝化剤を含む反応混合物を提供する工程；および、前記芳香族ジカルボン酸成分、前記脂肪族ジカルボン酸成分、前記スルホネート成分、前記第一のグリコール成分、前記第二のグリコール成分、および前記多官能性分枝化剤を重合させて、酸成分およびグリコール成分を含むスルホン化脂肪族−芳香族コポリエステルを形成させる工程であって、前記酸成分が、
ａ．１００モルパーセントの全酸成分を基準にして、約９４．９〜１０．０モルパーセントの芳香族ジカルボン酸成分、
ｂ．１００モルパーセントの全酸成分を基準にして、約５．０〜８０．０モルパーセントの脂肪族ジカルボン酸成分、および
ｃ．約０．１〜約５．０モルパーセントのスルホネート成分を含み、および前記グリコール成分が、前記第一のグリコール成分として、１００モルパーセントの全グリコール成分を基準にして、１００．０〜約９０．０モルパーセントの１，３−プロパンジオールを含む工程
を含むことを特徴とするプロセス。
【手続補正２】
【補正対象書類名】明細書
【補正対象項目名】０１４５
【補正方法】変更
【補正の内容】
【０１４５】
発泡可能なポリエステル組成物には、本明細書において先に開示されたような、各種広い範囲の添加剤および／または充填剤が含まれていてもよく、他の材料とブレンドすることも可能である。生分解性フォームの場合、セルロース、セルロース誘導体たとえば、化学変性セルロース、デンプン、およびデンプン誘導体たとえば、化学変性デンプンおよび熱可塑性デンプンなどが特に好ましい。
以下に、本発明の好ましい態様を示す。
１．  酸成分、グリコール成分、および０〜約５．０モルパーセントの多官能性分枝化剤を含むスルホン化脂肪族−芳香族コポリエステルであって、前記酸成分が、
ａ．１００モルパーセントの全酸成分を基準にして、約９４．９〜１０．０モルパーセントの芳香族ジカルボン酸成分、
ｂ．１００モルパーセントの全酸成分を基準にして、約５．０〜８０．０モルパーセントの脂肪族ジカルボン酸成分、および
ｃ．約０．１〜約５．０モルパーセントのスルホネート成分
を含み、および前記グリコール成分が、
ａ．１００モルパーセントの全グリコール成分を基準にして、１００．０〜９０．０モルパーセントの第一のグリコール成分としての１，３−プロパンジオール、および
ｂ．１００モルパーセントの全グリコール成分を基準にして０〜５．０モルパーセントの第二のグリコール成分
から本質的になることを特徴とするスルホン化脂肪族−芳香族コポリエステル。
２．  トリフルオロ酢酸：ジクロロメタン（５０：５０溶液）溶媒系中の前記コポリエステルの０．５パーセント溶液について室温で測定したときに、少なくとも０．１５の内部粘度を有することを特徴とする１．に記載のスルホン化脂肪族−芳香族コポリエステル。
３．  前記内部粘度が少なくとも０．３５ｄＬ／ｇであることを特徴とする２．に記載のスルホン化脂肪族−芳香族コポリエステル。
４．  前記第二のグリコール成分が、エチレングリコール、１，３−プロパンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ダイマージオール、４，８−ビス（ヒドロキシメチル）−トリシクロ［５．２．１．０／２．６］デカン、１，４−シクロヘキサンジメタノール、イソソルビド、ジ（エチレングリコール）、トリ（エチレングリコール）、分子量範囲が約５００〜約４０００のポリ（アルキレンエーテル）グリコール、およびそれらから誘導される混合物からなる群より選択されることを特徴とする１．に記載のスルホン化脂肪族−芳香族コポリエステル。
５．  前記スルホネート成分が、５−スルホイソフタル酸の金属塩および５−スルホイソフタル酸ジメチルの金属塩からなる群より選択されることを特徴とする１．に記載のスルホン化脂肪族−芳香族コポリエステル。
６．  前記芳香族ジカルボン酸成分が、テレフタル酸、テレフタル酸ジメチル、テレフタル酸ビス（２−ヒドロキシエチル）、テレフタル酸ビス（３−ヒドロキシプロピル）、テレフタル酸ビス（４−ヒドロキシブチル）、イソフタル酸、イソフタル酸ジメチル、イソフタル酸ビス（２−ヒドロキシエチル）、イソフタル酸ビス（３−ヒドロキシプロピル）、イソフタル酸ビス（４−ヒドロキシブチル）；２，６−ナフタレンジカルボン酸、２，６−ナフタル酸ジメチル、２，７−ナフタレンジカルボン酸、２，７−ナフタル酸ジメチル、３，４’−ジフェニルエーテルジカルボン酸、３，４’ジフェニルエーテルジカルボン酸ジメチル、４，４’−ジフェニルエーテルジカルボン酸、４，４’−ジフェニルエーテルジカルボン酸ジメチル、３，４’−ジフェニルスルフィドジカルボン酸、３，４’−ジフェニルスルフィドジカルボン酸ジメチル、４，４’−ジフェニルスルフィドジカルボン酸、４，４’−ジフェニルスルフィドジカルボン酸ジメチル、３，４’−ジフェニルスルホンジカルボン酸、３，４’−ジフェニルスルホンジカルボン酸ジメチル、４，４’−ジフェニルスルホンジカルボン酸、４，４’−ジフェニルスルホンジカルボン酸ジメチル、３，４’−ベンゾフェノンジカルボン酸、３，４’−ベンゾフェノンジカルボン酸ジメチル、４，４’−ベンゾフェノンジカルボン酸、４，４’−ベンゾフェノンジカルボン酸ジメチル、１，４−ナフタレンジカルボン酸、１，４−ナフタル酸ジメチル、４，４’−メチレンビス（安息香酸）、４，４’−メチレンビス（安息香酸ジメチル）、およびそれらから誘導される混合物からなる群より選択されることを特徴とする１．に記載のスルホン化脂肪族−芳香族コポリエステル。
７．  前記酸成分が、約８５〜約２０モルパーセントの前記芳香族ジカルボン酸成分を含むことを特徴とする１．に記載のスルホン化脂肪族−芳香族コポリエステル。
８．  前記酸成分が、約８０〜約２０モルパーセントの前記芳香族ジカルボン酸成分を含むことを特徴とする１．に記載のスルホン化脂肪族−芳香族コポリエステル。
９．  前記脂肪族ジカルボン酸成分が、シュウ酸、シュウ酸ジメチル、マロン酸、マロン酸ジメチル、コハク酸、コハク酸ジメチル、メチルコハク酸、グルタル酸、グルタル酸ジメチル、グルタル酸ビス（２−ヒドロキシエチル）、グルタル酸ビス（３−ヒドロキシプロピル）、グルタル酸ビス（４−ヒドロキシブチル）、２−メチルグルタル酸、３−メチルグルタル酸、アジピン酸、アジピン酸ジメチル、アジピン酸ビス（２−ヒドロキシエチル）、アジピン酸ビス（３−ヒドロキシプロピル）、アジピン酸ビス（４−ヒドロキシブチル）、３−メチルアジピン酸、２，２，５，５−テトラメチルヘキサン二酸、ピメリン酸、スベリン酸、アゼライン酸、アゼライン酸ジメチル、セバシン酸、１，１１−ウンデカンジカルボン酸、１，１０−デカンジカルボン酸、ウンデカン二酸、１，１２−ドデカンジカルボン酸、ヘキサデカン二酸、ドコサン二酸、テトラコサン二酸、ダイマー酸、およびそれらから誘導される混合物からなる群より選択されることを特徴とする１．に記載のスルホン化脂肪族−芳香族コポリエステル。
１０．  前記脂肪族ジカルボン酸成分が、コハク酸、コハク酸ジメチル、グルタル酸、グルタル酸ジメチル、グルタル酸ビス（２−ヒドロキシエチル）、グルタル酸ビス（３−ヒドロキシプロピル）、グルタル酸ビス（４−ヒドロキシブチル）、アジピン酸、アジピン酸ジメチル、アジピン酸ビス（２−ヒドロキシエチル）、アジピン酸ビス（３−ヒドロキシプロピル）、アジピン酸ビス（４−ヒドロキシブチル）、およびそれらから誘導される混合物からなる群より選択されることを特徴とする１．に記載のスルホン化脂肪族−芳香族コポリエステル。
１１．  前記酸成分が、約１５〜約８０モルパーセントの前記脂肪族ジカルボン酸成分を含むことを特徴とする１．に記載のスルホン化脂肪族−芳香族コポリエステル。
１２．  前記酸成分が、約２０〜約６０モルパーセントの前記脂肪族ジカルボン酸成分を含むことを特徴とする１．に記載のスルホン化脂肪族−芳香族コポリエステル。
１３．  前記分枝化剤が、１，２，４−ベンゼントリカルボン酸；１，２，４−ベンゼントリカルボン酸トリメチル；１，２，４−ベンゼントリカルボン酸トリス（２−ヒドロキシエチル）；１，２，４−ベンゼントリカルボン酸トリス（３−ヒドロキシプロピル）；１，２，４−ベンゼントリカルボン酸トリス（４−ヒドロキシブチル）；１，２，４−ベンゼントリカルボン酸無水物；１，３，５−ベンゼントリカルボン酸；１，２，４，５−ベンゼンテトラカルボン酸；１，２，４，５−ベンゼンテトラカルボン酸二無水物；３，３’，４，４’−ベンゾフェノンテトラカルボン酸二無水物；１，４，５，８−ナフタレンテトラカルボン酸二無水物；クエン酸；テトラヒドロフラン−２，３，４，５−テトラカルボン酸；１，３，５−シクロヘキサントリカルボン酸；ペンタエリトリトール；グリセロール；２−（ヒドロキシメチル）−１，３−プロパンジオール；２，２−ビス（ヒドロキシメチル）プロピオン酸；およびそれらから誘導される混合物からなる群より選択されることを特徴とする１．に記載のスルホン化脂肪族−芳香族コポリエステル。
１４．  前記コポリエステルが、０〜約１．０モルパーセントの前記分枝化剤を含むことを特徴とする１．に記載のスルホン化脂肪族−芳香族コポリエステル。
１５．  少なくとも約０．６５ｄＬ／ｇの内部粘度を有することを特徴とする１．に記載のスルホン化脂肪族−芳香族コポリエステル。
１６．  充填剤をさらに含むことを特徴とする１．に記載のスルホン化脂肪族−芳香族コポリエステル。
１７．  前記充填剤が、第一の平均粒径を有する第一の組の粒子と、第二の平均粒径を有する第二の組の粒子とを含み、そして第二の平均粒径が、前記第一の平均粒径の少なくとも約２倍であることを特徴とする１６．に記載のスルホン化脂肪族−芳香族コポリエステル。
１８．  前記充填剤が、約４０ミクロン未満の平均直径を有する粒子から本質的になることを特徴とする請求項１６．に記載のスルホン化脂肪族−芳香族コポリエステル。
１９．  前記充填剤が、約２０ミクロン未満の平均直径を有する粒子から本質的になることを特徴とする１６．に記載のスルホン化脂肪族−芳香族コポリエステル。
２０．  １．に記載のスルホン化脂肪族−芳香族コポリエステルと、少なくとも１種の他のポリマーとを含むことを特徴とするブレンド。
２１．  前記他のポリマーが生分解性であることを特徴とする２０．に記載のブレンド。
２２．  前記生分解性ポリマーが、ポリ（ヒドロキシアルカノエート）、ポリカーボネート、ポリ（カプロラクトン）、脂肪族ポリエステル、脂肪族−芳香族コポリエステル、脂肪族−芳香族コポリエーテルエステル、脂肪族−芳香族コポリアミドエステル、スルホン化脂肪族−芳香族コポリエステル、スルホン化脂肪族−芳香族コポリエーテルエステル、スルホン化脂肪族−芳香族コポリアミドエステル、およびそれらから誘導される混合物からなる群より選択されることを特徴とする２１．に記載のブレンド。
２３．  前記他のポリマーが非生分解性であることを特徴とする２０．に記載のブレンド。
２４．  前記他のポリマーが天然ポリマーであることを特徴とする２０．に記載のブレンド。
２５．  前記天然ポリマーがデンプンであることを特徴とする２４．に記載のブレンド。
２６．  １．に記載のスルホン化脂肪族−芳香族コポリエステルから成形されることを特徴とする成形物品。
２７．  フィルム、シート、繊維、メルトブローン容器、成形部品、および発泡部品からなる群より選択されることを特徴とする２６．に記載の成形物品。
２８．  １．に記載のスルホン化脂肪族−芳香族コポリエステルを含むことを特徴とするフィルム。
２９．  約０．０２５ｍｍ〜約０．１５ｍｍの厚みを有することを特徴とする２８．に記載のフィルム。
３０．  ２９．に記載の配向フィルム。
３１．  前記フィルムが２軸配向されていることを特徴とする３０．に記載のフィルム。
３２．  前記フィルムが１軸配向されていることを特徴とする３０．に記載のフィルム。
３３．  １．に記載のスルホン化脂肪族−芳香族コポリエステルを含む層を含むことを特徴とする多層フィルム。
３４．  基材および前記基材の上のコーティングを含み、前記コーティングが１．に記載の脂肪族−芳香族コポリエーテルエステルを含むことを特徴とする物品。
３５．  前記コーティングが、約０．２〜約１５ミルの厚みを有することを特徴とする３４．に記載の物品。
３６．  前記コーティングが、約０．５〜約２ミルの厚みを有することを特徴とする３４．に記載の物品。
３７．  前記基材が、織物、不織布、フォイル、紙、板紙、および金属からなる群より選択されることを特徴とする３４．に記載の物品。
３８．  １．に記載のスルホン化脂肪族−芳香族コポリエステルがその上に積層されている基材を含むことを特徴とする物品。
３９．  前記基材が、紙、板紙、カードボード、ファイバーボード、セルロース、デンプン、プラスチック、ポリスチレンフォーム、ガラス、金属、ポリマーフォーム、有機フォーム、無機フォーム、有機−無機フォーム、およびポリマーフィルムからなる群より選択されることを特徴とする３８．に記載の物品。
４０．  ３９．に記載の物品を含むことを特徴とする包装材料。
４１．  １．に記載のスルホン化脂肪族−芳香族コポリエステルを含むことを特徴とするラップ。
４２．  １．に記載のスルホン化脂肪族−芳香族コポリエステルを含むことを特徴とするシート。
４３．  少なくとも約０．５０ｍｍの厚みを有することを特徴とする４２．に記載のシート。
４４．  １．に記載のスルホン化脂肪族−芳香族コポリエステルを含むことを特徴とする繊維。
４５．  約０．１〜約１００のデニールを有することを特徴とする４４．に記載の繊維。
４６．  約０．５〜２０のデニールを有することを特徴とする４５．に記載の繊維。
４７．  １．に記載のスルホン化脂肪族−芳香族コポリエステルと、少なくとも１種の他のポリマーとを含むことを特徴とする繊維。
４８．  前記繊維が、前記スルホン化脂肪族−芳香族コポリエステルと１種または複数の天然繊維とのブレンドを含むことを特徴とする４７．に記載の繊維。
４９．  前記繊維が異種繊維であることを特徴とする４７．に記載の繊維。
５０．  １．に記載のスルホン化脂肪族−芳香族コポリエステルを含むことを特徴とする発泡物品。
５１．  １６．に記載のスルホン化脂肪族−芳香族コポリエステルを含むことを特徴とする発泡物品。
５２．  １．に記載のスルホン化脂肪族−芳香族コポリエステルから成形されることを特徴とする成形物品。
５３．  １６．に記載のスルホン化脂肪族−芳香族コポリエステルから成形されることを特徴とする成形物品。
５４．  フィルム、シート、繊維、メルトブローン容器、成形部品、および発泡部品からなる群より選択されることを特徴とする５２．に記載の成形物品。
５５．  １６．に記載のスルホン化脂肪族−芳香族コポリエステルを含むことを特徴とするフィルム。
５６．  約０．０２５ｍｍ〜約０．１５ｍｍの厚みを有することを特徴とする５５．に記載のフィルム。
５７．  ５５．に記載の配向フィルム。
５８．  １６．に記載のスルホン化脂肪族−芳香族コポリエステルを含む層を含むことを特徴とする多層フィルム。
５９．  基材および前記基材の上のコーティングを含み、前記コーティングが１６．に記載のスルホン化脂肪族−芳香族コポリエステルを含むことを特徴とする物品。
６０．  １６．に記載のスルホン化脂肪族−芳香族コポリエステルがその上に積層されている基材を含むことを特徴とする物品。
６１．  １６．に記載のスルホン化脂肪族−芳香族コポリエステルを含むことを特徴とするラップ。
６２．  １６．に記載のスルホン化脂肪族−芳香族コポリエステルを含むことを特徴とするシート。
６３．  ２０．に記載のスルホン化脂肪族−芳香族コポリエステルを含むことを特徴とする発泡物品。
６４．  ２０．に記載のスルホン化脂肪族−芳香族コポリエステルから成形されることを特徴とする成形物品。
６５．  フィルム、シート、繊維、メルトブローン容器、成形部品、および発泡部品からなる群より選択されることを特徴とする６４．に記載の成形物品。
６６．  ２０．に記載のスルホン化脂肪族−芳香族コポリエステルを含むことを特徴とするフィルム。
６７．  約０．０２５ｍｍ〜約０．１５ｍｍの厚みを有することを特徴とする６６．に記載のフィルム。
６８．  ６６．に記載の配向フィルム。
６９．  ２０．に記載のスルホン化脂肪族−芳香族コポリエステルを含む層を含むことを特徴とする多層フィルム。
７０．  基材および前記基材の上のコーティングを含み、前記コーティングが２０．に記載のスルホン化脂肪族−芳香族コポリエステルを含むことを特徴とする物品。
７１．  ２０．に記載のスルホン化脂肪族−芳香族コポリエステルがその上に積層されている基材を含むことを特徴とする物品。
７２．  ２０．に記載のスルホン化脂肪族−芳香族コポリエステルを含むことを特徴とするラップ。
７３．  ２０．に記載のスルホン化脂肪族−芳香族コポリエステルを含むことを特徴とするシート。
７４．  ２０．に記載のスルホン化脂肪族−芳香族コポリエステルを含むことを特徴とする発泡物品。
７５．  ２０．に記載のスルホン化脂肪族−芳香族コポリエステルから成形されることを特徴とする成形物品。
７６．  フィルム、シート、繊維、メルトブローン容器、成形部品、および発泡部品からなる群より選択されることを特徴とする７５．に記載の成形物品。
７７．  ２４．に記載のスルホン化脂肪族−芳香族コポリエステルを含むことを特徴とする発泡物品。
７８．  ２４．に記載のスルホン化脂肪族−芳香族コポリエステルから成形されることを特徴とする成形物品。
７９．  フィルム、シート、繊維、メルトブローン容器、成形部品、および発泡部品からなる群より選択されることを特徴とする７８．に記載の成形物品。
８０．  ２４．に記載のスルホン化脂肪族−芳香族コポリエステルを含むことを特徴とするフィルム。
８１．  約０．０２５ｍｍ〜約０．１５ｍｍの厚みを有することを特徴とする８０．に記載のフィルム。
８２．  ８０．に記載の配向フィルム。
８３．  ２４．に記載のスルホン化脂肪族−芳香族コポリエステルを含む層を含むことを特徴とする多層フィルム。
８４．  基材および前記基材の上のコーティングを含み、前記コーティングが２４．に記載のスルホン化脂肪族−芳香族コポリエステルを含むことを特徴とする物品。
８５．  ２４．に記載のスルホン化脂肪族−芳香族コポリエステルがその上に積層されている基材を含むことを特徴とする物品。
８６．  ２４．に記載のスルホン化脂肪族−芳香族コポリエステルを含むことを特徴とするラップ。
８７．  ２４．に記載のスルホン化脂肪族−芳香族コポリエステルを含むことを特徴とするシート。
８８．  包装材料を製造するためのプロセスであって、基材を提供する工程；前記基材を所望の包装材料形態に成形する工程；酸成分、グリコール成分、および０〜約５．０モルパーセントの多官能性分枝化剤を含むスルホン化脂肪族−芳香族コポリエステルを提供する工程であって、前記酸成分が、
ａ．１００モルパーセントの全酸成分を基準にして、約９４．９〜１０．０モルパーセントの芳香族ジカルボン酸成分、
ｂ．１００モルパーセントの全酸成分を基準にして、約５．０〜８０．０モルパーセントの脂肪族ジカルボン酸成分、および
ｃ．１００モルパーセントの全酸成分を基準にして、約０．１〜約５．０モルパーセントのスルホネート成分
を含み、および前記グリコール成分が、
ａ．１００モルパーセントの全グリコール成分を基準にして、１００．０〜９０．０モルパーセントの第一のグリコール成分としての１，３−プロパンジオール、および
ｂ．１００モルパーセントの全グリコール成分を基準にして０〜５．０モルパーセントの第二のグリコール成分
から本質的になる工程；および前記スルホン化脂肪族−芳香族コポリエステルを用いて前記基材を積層またはコーティングして、前記包装材料を形成する工程を含むことを特徴とするプロセス。
８９．  前記基材が、紙、板紙、無機フォーム、有機フォーム、および無機−有機フォームからなる群より選択される材料を含むことを特徴とする８８．に記載のプロセス。
９０．  前記包装材料形態が、ラッパー、延伸ラップフィルム、袋物、コップ、トレー、カートン、箱、ビン、クレート、包装フィルム、プリスターパックラッパー、スキンパック、およびヒンジつき容器からなる群より選択されることを特徴とする８８．に記載のプロセス。
９１．  スルホン化脂肪族−芳香族コポリエステルを製造するためのプロセスであって、芳香族ジカルボン酸成分、脂肪族ジカルボン酸成分、スルホネート成分、１，３−プロパンジオールから本質的になる第一のグリコール成分、任意選択的に第二のグリコール成分、および任意選択的に多官能性分枝化剤を含む反応混合物を提供する工程；および、前記芳香族ジカルボン酸成分、前記脂肪族ジカルボン酸成分、前記スルホネート成分、前記第一のグリコール成分、前記第二のグリコール成分、および前記多官能性分枝化剤を重合させて、酸成分およびグリコール成分を含むスルホン化脂肪族−芳香族コポリエステルを形成させる工程であって、前記酸成分が、
ａ．１００モルパーセントの全酸成分を基準にして、約９４．９〜１０．０モルパーセントの芳香族ジカルボン酸成分、
ｂ．１００モルパーセントの全酸成分を基準にして、約５．０〜８０．０モルパーセントの脂肪族ジカルボン酸成分、および
ｃ．約０．１〜約５．０モルパーセントのスルホネート成分を含み、および前記グリコール成分が、前記第一のグリコール成分として、１００モルパーセントの全グリコール成分を基準にして、１００．０〜約９０．０モルパーセントの１，３−プロパンジオールを含む工程
を含むことを特徴とするプロセス。
９２．  前記ポリエステルのグリコール成分が、前記第一のグリコール成分と前記第二のグリコール成分との合計を基準にして、５．０モルパーセントまでの前記第二のグリコール成分を含むような量で、前記第二のグリコール成分を提供する工程を含むことを特徴とする９１．に記載のプロセス。
９３．  前記ポリエステルが、前記第一のグリコール成分、前記第二のグリコール成分、および前記多官能性分枝化剤の合計を基準にして、５．０モルパーセントまでの前記多官能性分枝化剤を含むような量で、前記多官能性分枝化剤を提供する工程を含むことを特徴とする９１．に記載のプロセス。